(57)【要約】      （修正有）【課題】車椅子用の座席の前方に買いもの籠を載せる場所を提供する。【解決手段】１は車椅子の肘掛け、２は車椅子の肘掛け１に取り付く片持ち梁、３は片持ち梁２に接続される横架材、４は片持ち梁２と横架材３の端部を取り付ける回転可能の接続軸をしめす。横架材３は折れるように中央にヒンジ５が仕込まれ、買いもの籠を載せる台を折りたたんだり展開したり出来るようになっている。買いもの籠を載せる台を展開し水平に広げることで、図１(ｄ)に示すように片持ち梁２のコ型断面の取りあい部分６が車椅子の肘掛け１に横から嵌まり込み取り付けられる。座席前方に形成された長方形の買いもの籠を載せる台には買いもの籠が動かないように買いもの籠の底面の穴に嵌まり込む突起８が取り付いていて、この突起８は接続軸４と中央のヒンジ５を貫通するボルト７の天端に取り付けられる袋ナットである。【選択図】図１
0003125395.tif 000002
【実用新案登録請求の範囲】
【請求項１】
車椅子の肘掛け部に片持ち梁の状態で取り付き座席の前方に突き出した車椅子用の買いもの籠を載せる台で、脱着可能で使用しないときは平板状から棒状に折りたたんで座席の後部の収納袋に収容することが出来ることを特徴とする
車椅子用の買いもの籠を載せる台。
【請求項２】
車椅子用の買いもの籠を載せる台は車椅子に取り付けた状態では、両側の肘掛け部から座席の前方に突き出した２本の片持ち梁に、端部を回転可能の接続軸で片持ち梁に接続される２本の平行する横架材が直角に取り付く状態で、
２本の平行する横架材のそれぞれは、中央で折れるようにヒンジが仕込まれ、折り重ねられた状態から開いて展開するときＶ字に変形して最終的には一直線になる構造で、車椅子用の買いもの籠を載せる台の全体の姿は棒状に折りたたまれた状態からＭ字の形さらにＨ字の形になって、座席の前方に買いもの籠を載せる平面を形成することを特徴とする
請求項１の車椅子用の買いもの籠を載せる台
【請求項３】
両側の肘掛け部から座席の前方に突き出した２本の片持ち梁の肘掛けとの取りあい部分はコ型断面で、肘掛けの側面を水平方向に横から圧着し肘掛けの上下をはさむもので、
車椅子用の買いもの籠を載せる台を棒状に折りたたまれた状態から展開して一直線になる以前に、コ型断面の取り付け部分が肘掛けに引っ掛かって落下しない状態になり、
一直線になったとき２本の片持ち梁の間隔が両側の肘掛け部の間隔以上に広がることによって片持ち梁の弾性変形で肘掛けの側面に横から圧力をかけ圧着して肘掛け部に固定することを特徴とし、
買いもの籠を載せる台を取り付けるための金具等を車椅子に装備する必要もなく、また取り付けるための穴等の加工を車椅子に施す必要もないことを特徴とする請求項１の車椅子用の買いもの籠を載せる台
【請求項４】
車椅子の両側の肘掛け部から座席の前方に突き出した２本の片持ち梁とそれに接続される２本の平行する横架材の接続軸において、車椅子用の買いもの籠を載せる台を棒状に折りたたまれた状態から展開して一直線になる以前に、コ型断面の取り付け部分が肘掛けに引っ掛かって落下しないように静止状態を保つようにする接続軸の構造で、
車椅子用の買いもの籠を載せる台が棒状に折りたたまれた状態の時と車椅子の両側の肘掛け部に固定された状態時に接続軸の回転がロックされ回転角が０度と９０度の両方の終始端で静止状態を保つほかに、コ型断面の取り付け部分が肘掛けに引っ掛かって落下しないようになった状態時に接続軸の回転角が所定の角度でロックされ静止状態を保つようにすることを特徴とする
請求項１の車椅子用の買いもの籠を載せる台
【請求項５】
横架材のそれぞれの端部の接続軸と中央のヒンジの端部には買いもの籠を載せる平面から突き出た突起を有し、買いもの籠の底面の穴に嵌まり込んで買いもの籠を水平方向に動かないようにすることを特徴とする
請求項１の車椅子用の買いもの籠を載せる台
【請求項６】
各々の横架材は中央のヒンジが端部にあるものと、途中にあるものの長さの異なる２つの構成材で構成され、横架材が一直線になるとき中央のヒンジ部分で上記２つの構成材が重なり合って合体し１本の横架材になり、上下方向の荷重に耐えうるようにして、
横架材中央のヒンジが途中にある構成材について、横架材中央のヒンジの取り付け部分の位置を調整することによって、車椅子によって異なる両側の肘掛け部の間隔の寸法に、車椅子用の買いもの籠を載せる台の幅をあわせることができることを特徴とする
請求項１の車椅子用の買いもの籠を載せる台
【考案の詳細な説明】
【技術分野】
【０００１】
本考案は車椅子用の買いもの籠を載せる台に関する。
【背景技術】
【０００２】
車椅子利用者が買いものをする際、買いもの籠を介助者が持ったり、車椅子に乗っている人の膝の上に買いもの籠を乗せたりしないように、車椅子に買いもの籠を載せる台を取り付けるものがある（例えば特許文献１参照）。また食事時その他の用途のために車椅子前部に脱着可能なテーブルを取り付けるものもある（例えば特許文献２参照）。
【特許文献１】特開２００１−１０４３８２
【特許文献２】特開２００１−１７４７４
【考案の開示】
【考案が解決しようとする課題】
【０００３】
これらの従来の発明は車椅子利用者が買いものをする際、買いもの籠を載せる台を提供するものであるが、買いもの籠を載せる台を使用しない時には取り外しが困難で、小さく折りたたんで棒状にすることが出来ず携帯に不便であり、座席の後部の収納袋に収納することが出来ないものである。
【０００４】
例えば特許文献１については買いもの籠を載せる台が座席の後部に取り付き車椅子が後ろに倒れる要因がふくまれ、
【０００５】
例えば特許文献２についてはテーブルを板状のまま座席の後部の収納袋に収容するので収納の中でかさばる難点がある。
【０００６】
本考案はこれらの欠点を除去するためになされたもので、台の取り付け取り外しを容易にし、且つ携帯に便利なように小さく折りたたんで棒状にするものである。
【課題を解決するための手段】
【０００７】
車椅子利用者が買いものをする際、買い物をした品物を籠の中に入れるのに最も適した位置は、介助者と車椅子に乗っている人の双方にとって車椅子に乗っている人の膝の上である。本考案の買いもの籠を載せる台は車椅子の肘掛け部に片持ち梁の状態で取り付くもので、片持ち梁の先端部には２本の平行する横架材が直角に取り付き、車椅子用の座席の前方に買いもの籠を載せる場所を提供するものである。
【０００８】
また本考案の買いもの籠を載せる台は脱着可能で、使用しないときは平板状から棒状に折りたたんで座席の後部の収納袋に収容することが出来ることを特徴とするもので、両側の肘掛け部から座席の前方に突き出した２本の片持ち梁と片持ち梁に直角に取り付く２本の平行する横架材とで構成される。
【０００９】
買いもの籠を載せる台を車椅子に取り付けた状態は、両側の肘掛け部から座席の前方に突き出した２本の片持ち梁に、端部を回転可能の接続軸で片持ち梁に接続される２本の平行する横架材が直角に取り付く状態で、片持ち梁の先端部は２本の片持ち梁と２本の横架材とで長方形を形どる。
【００１０】
２本の平行する横架材のそれぞれは、中央にヒンジが仕込まれ中央で折れるようになっている。折り重ねられた状態から開いて展開するとき、開き始めはＶ字に変形して最終的には一直線になる。買いもの籠を載せる台の全体の姿は棒状に折りたたまれた状態からＭ字の形さらにＨ字の形になって、座席の前方に買いもの籠を載せる平面を形成する。
【００１１】
本考案の買いもの籠を載せる台は、車椅子に人が搭乗してから介助者あるいは搭乗者自身が座席の後部の収納袋から棒状に折りたたまれた買いもの籠を載せる台を取り出し搭乗者のひざの上で展開し両側の肘掛け部に固定するもので、折りたたまれた買いもの籠を載せる台を完全に開く前に肘掛け部に引っ掛けることができ、買いもの籠を載せる台を落ちない状態にしてから固定することが出来る。
【００１２】
買いもの籠を載せる台は２本の片持ち梁の間隔を広げながら棒状から平面状に開く。従って両側の肘掛けの間で買いもの籠を載せる台を展開すると２本の片持ち梁は肘掛けの側面を水平方向に横から押さえつけることになる。
【００１３】
片持ち梁の肘掛けとの取りあい部分はコ型断面で、肘掛けの側面を水平方向に横から圧着し肘掛けの上下をはさむ。片持ち梁先端の鉛直荷重はコ型断面の部分が肘掛けの上下をはさむことで支持され、コ型断面の部分が肘掛けの上下をはさむ範囲は肘掛けの先端部で、その長さ１５センチメートル程度あればよい。
【００１４】
また買いもの籠を載せる台を完全に開く前に肘掛け部に引っ掛けることができ、買いもの籠を載せる台を落ちない状態にしてから固定するようにするためには
コ型断面に上下のフランジ部分は肘掛けの幅以上に大きくする必要がある。
【００１５】
片持ち梁先端には上から下の鉛直荷重がかかり、下から上の荷重がかからないので、コ型断面の取り合い部分は末端部では下側だけ、内側では上側だけ肘掛けに接触し、コ型断面の必要はなくＬ型断面でよいが、上下裏表の区別をなく使えるようにするにはコ型断面の必要がある。
【００１６】
車椅子用の買いもの籠を載せる台を棒状に折りたたまれた状態から展開して一直線になる以前に、コ型断面の取り付け部分が肘掛けに引っ掛かって落下しない状態になり、一直線になったとき２本の片持ち梁の間隔が両側の肘掛け部の間隔以上に広がることによって片持ち梁の弾性変形で肘掛けの側面に横から圧力をかけ圧着して肘掛け部に固定する。
【００１７】
従って買いもの籠を載せる台を取り付けるために車椅子に金具等を取り付けたり、取り付けるために穴などの加工を車椅子に施す必要もなく、購入した時点でなんらの準備もなくそのまま使用できる。
【００１８】
２本の片持ち梁と２本の横架材とで構成される片持ち梁先端の長方形は、片持ち梁の左右が前後にずれることによって形を崩して平行四辺形になり、２本の片持ち梁の間隔が狭まり買いもの籠を載せる台は外れて落下することになるが、実際には片持ち梁が肘掛けの側面を横から押さえつけることで摩擦が生じ両側の片持ち梁が前後にずれることはない。
【００１９】
これとは別に片持ち梁の弾性変形や肘掛けの側面との摩擦に頼らず、片持ち梁先端の長方形がそのままの状態で肘掛けから前後に抜き指し出来るようにして、片持ち梁先端の負荷によって肘掛け部に固定されるようにするには、２本の片持ち梁とそれに接続される２本の平行する横架材の接続軸において、その回転角を固定すればよい。
【００２０】
車椅子用の買いもの籠を載せる台を棒状に折りたたまれた状態から展開して一直線になる以前に、コ型断面の取り付け部分が肘掛けに引っ掛かって落下しないようにするため、片持ち梁とそれに接続される横架材の接続軸において、車買いもの籠を載せる台が棒状に折りたたまれた状態の時と車椅子の両側の肘掛け部に固定された状態時に接続軸の回転がロックされ回転角が０度と９０度の両方の終始端で静止状態を保つほかに、コ型断面の取り付け部分が肘掛けに引っ掛かって落下しないようになった状態時に接続軸の回転角が所定の角度でロックされ静止状態を保つようにする。
【００２１】
買い物しながら車椅子を運転するときで、急ブレーキをかけたり坂道や段差を登って車椅子を傾斜させたとき、車椅子用の買いもの籠を載せる台に載せた買いもの籠が水平方向に動いて落下しないようにするには、買いもの籠を載せる台に買いもの籠を固定する必要がある。
【００２２】
買いもの籠を載せる台を構成するそれぞれの部材の接続軸において、たとえば横架材のそれぞれの接続軸すなわち端部の接続軸あるいは中央のヒンジにおいて、貫通するボルトの端部に、買いもの籠を載せる平面から突き出た突起をとりつけ、買いもの籠の底面の穴に嵌まり込んで買いもの籠を水平方向に動かないようにする。
【００２３】
各々の横架材は中央のヒンジで折れるようになっているが、一直線になったとき中央のヒンジ部分で横架材を構成する２つの構成材が互いに嵌まり込むことによって合体し１本の単純梁として働くようにする。各々の横架材は中央のヒンジが端部にあるものと、途中にあるものの長さの異なる２つの構成材で構成され、横架材が一直線になるとき中央のヒンジ部分で上記２つの構成材が重なり合って合体し１本の横架材になる。このようにして上下方向の荷重に耐えうるようにする。
【００２４】
車椅子によって両側の肘掛け部の間隔は異なる。この寸法に車椅子用の買いもの籠を載せる台の幅をあわせる必要がある。実際には２本の横架材のうち先端の横架材を一直線にしただけで手前の横架材を一直線にしなければ、どのような肘掛け部の間隔の車椅子にも買いもの籠を載せる台の幅をあわせることができるが、横架材中央のヒンジが途中にある構成材について、横架材中央のヒンジの取り付け部分の位置を調整することにより１本になった横架材の長さを変えることができ種々の車椅子に対応することが出来る。
【考案の効果】
【００２５】
従来の買いもの籠を載せる台は車椅子の座席の後ろに取り付けられ、車椅子が後ろに倒れる要因があったが、本考案の買いもの籠を載せる台は車椅子の座席の前に取り付けられ車椅子に人が出入りする出入り口に取り付けられるので、人が乗ってから取り付け、降りる前に取り外すことになり、台に品物を載せるときには人が乗ったままの状態なので、いくら重たい品物を台の上に乗せても車椅子が前に倒れることはない。
【００２６】
また従来の買いもの籠を載せる台のように平板状のままではなく棒状に折りたたんで座席の後部の収納袋に収容できるので、非使用時にかさばることはなく扱いやすい。
本考案の買いもの籠を載せる台は、車椅子に人が搭乗してから介助者あるいは搭乗者自身が座席の後部の収納袋から棒状に折りたたまれた買いもの籠を載せる台を取り出し、搭乗者の膝の上で展開し両側の肘掛け部に固定するもので、折りたたまれた買いもの籠を載せる台を完全に開く前に肘掛け部に引っ掛けることができる。買いもの籠を載せる台を落ちない状態にしてから固定することが出来るので、取り付け取り外しが簡単なだけでなく安全である。また買いもの籠を載せる台を取り付けるための金具等を車椅子に装備する必要もなく、また取り付けるための穴等の加工を車椅子に施す必要もない。
【００２７】
このように車椅子利用者が買いものをする際、便利になるだけでなく、高齢者や障害者の町に出る機会が増えることによって健常者と触れ合う社会を構築し、高齢者や障害者の地域社会への参加を促し、来るべき老人社会を明るくする。
【考案を実施するための最良の形態】
【００２８】
図１は買いもの籠を載せる台の展開の過程を説明するもので、図１(ａ)は籠を載せる台が棒状に折りたたまれたときの状態を示し、図１(ｂ)は棒状に折りたたまれた状態から展開して横架材が一直線になる以前の状態を示し、図１(ｃ)はさらに展開して横架材が一直線になったときの状態を示す。図１(ｄ)は買いもの籠を載せる台を車椅子の肘掛け１に取り付けたときの姿図である。
【００２９】
（１）は車椅子の肘掛け、（２）は車椅子の肘掛け１に取り付く片持ち梁、（３）は片持ち梁２に接続される横架材、（４）は片持ち梁２と横架材３の端部を取り付ける回転可能の接続軸をしめす。横架材３は折れるように中央にヒンジ(５)が仕込まれ、買いもの籠を載せる台を折りたたんだり展開したり出来るようになっている。買いもの籠を載せる台を展開し水平に広げることで、図１(ｄ)に示すように片持ち梁２のコ型断面の取りあい部分（６）が車椅子の肘掛け１に横から嵌まり込み取り付けられる。座席前方に形成された長方形の買いもの籠を載せる台には買いもの籠が動かないように買いもの籠の底面の穴に嵌まり込む突起（８）が取り付いていて、この突起８は接続軸４と中央のヒンジ５を貫通するボルト（７）の天端に取り付けられる袋ナットである。
【００３０】
図２は買いもの籠を載せる台の展開の過程を説明するもので、図２(ａ)は籠を載せる台が棒状に折りたたまれたときの状態を示し、図２(ｂ)は棒状に折りたたまれた状態から展開して横架材が一直線になる以前の状態を示し、図２(ｃ)はさらに展開して横架材が一直線になったときの状態を示す。図２(ｄ)は図２(ｃ)の側面図である。
【００３１】
買いもの籠を載せる台を構成する各部材の断面はコ型断面で、縦に長く買いもの籠を折りたたんだとき出来るだけ薄くなるようにしており、しかも断面２次モーメントの大きな断面で、買い物籠に入れられた品物の鉛直荷重に耐えうるような断面性能を有している。片持ち梁２の梁背は横架材３の梁背より小さく、横架材３は片持ち梁２の中に嵌まり込むので、図２(ａ)のように棒状に折りたたむことが出来る。また横架材３は２本の構成材からなり、片方の中央のヒンジ５から延長された部分を有する構成材の梁背は他方の構成材の梁背より大きく、図２(ｃ)に示すように横架材が一直線になったとき中央のヒンジ５から延長された部分で嵌合しあうことで、中央のヒンジ５が上下方向に曲がらないようになる。
【００３２】
両側の肘掛け部の間隔の寸法は車椅子によって異なるが、延長された部分を有する構成材のヒンジ５の付近に施される穴にもう１つの構成材を取り付けることによって、片持ち梁２の幅をあわせることができる。
【００３３】
図３は片持ち梁２とそれに接続される横架材３の接続軸４において、接続軸を中心にして横架材３が回転する様子を表した平面図で、図３(ａ)は籠を載せる台が棒状に折りたたまれたときの状態を示し、図３(ｂ)は棒状に折りたたまれた状態から展開して横架材が一直線になる以前の状態を示し、図３(ｃ)はさらに展開して横架材が一直線になったときの状態を示す。
【００３４】
横架材３の端部の２箇所の直線部と円弧部を板バネ１０が押さえることにより、図３(ａ)図３(ｂ)図３(ｃ)のそれぞれの状態において、横架材３の回転がロックされ回転角が０度と９０度以前と９０度以後で静止状態を保つ。ただしこの接続軸周りの仕組みがなくても、図３(ｃ)の横架材が一直線になったとき、片持ち梁は片持ち梁の弾性変形で肘掛けの側面に横から圧力をかけ圧着して肘掛け部に固定するので問題はない。
【図面の簡単な説明】
【００３５】
【図１】買いもの籠を載せる台を車椅子に取り付ける説明図
【図２】買いもの籠を載せる台の展開過程を説明する構造図
【図３】接続軸を中心にして横架材が回転する様子を表した平面図
【符号の説明】
【００３６】
（１）車椅子の肘掛け
（２）（１）に取り付く片持ち梁
（３）（２）に接続される横架材
（４）（２）と（３）の端部を取り付ける回転可能の接続軸
（５）横架材が中央で折れるようにしたヒンジ  
（６）（２）のコ型断面の（１）との取りあい部分
（７）ボルト
(８)突起
（９）車椅子によって異なる両側の肘掛け部の間隔の寸法に、（２）の幅をあわせるための(７)を貫通させる穴
（１０）板バネ
【図１】
0003125395.tif 000003
【図２】
0003125395.tif 000004
【図３】
0003125395.tif 000005